(57)【要約】【課題】被測定信号において発生した事象の種類別の発生回数を確実かつ容易に把握させる。【解決手段】被測定信号において発生した被測定信号の品質評価に用いるイベント（スウェル、ディップおよび瞬停）に関する情報を表示部１４に表示させる表示処理を実行する処理部を備え、処理部は、表示処理において、表示処理の実行が指示された当日に発生した事象の発生回数を事象の種類別に示すと共に事象の発生がその当日である旨を示す第１画像（画像Ｇａ）を表示部１４に表示させる。【選択図】図７
2019039742.tif 000002
【特許請求の範囲】
【請求項１】
被測定信号において発生した当該被測定信号の品質評価に用いる事象に関する情報を表示部に表示させる表示処理を実行する処理部を備えた表示処理装置であって、
前記処理部は、前記表示処理において、当該表示処理の実行が指示された当日に発生した前記事象の発生回数を当該事象の種類別に示すと共に当該事象の発生が当該当日である旨を示す第１画像を前記表示部に表示させる表示処理装置。
【請求項２】
前記処理部は、前記表示処理において、前記第１画像内における前記事象の中から１つの種類の事象が選択されたときに、当該選択された種類であって前記当日に発生した全ての事象のうちの前記品質評価が最も低い当日最低評価事象における前記被測定信号のパラメータを示す第２画像を前記表示部に表示させる請求項１記載の表示処理装置。
【請求項３】
前記処理部は、前記表示処理において、前記第２画像を前記表示部に表示させている状態で前記当日最低評価事象の開始時および終了時のいずれか一方を指定する操作がされたときに、当該いずれか一方における前記当日最低評価事象の詳細な内容を示す第３画像を前記表示部に表示させる請求項２記載の表示処理装置。
【請求項４】
被測定信号において発生した当該被測定信号の品質評価に用いる事象に関する情報を表示部に表示させる表示処理を実行する処理部を備えた表示処理装置であって、
前記処理部は、前記表示処理において、当該表示処理の実行が指示された当日以前の日から当該当日までの期間に発生した前記事象の通算の発生回数を当該事象の種類別に示すと共に当該事象の発生が当該期間である旨を示す第４画像を前記表示部に表示させる表示処理装置。
【請求項５】
前記処理部は、前記表示処理において、前記第４画像内における前記事象の中から１つの種類の事象が選択されたときに、当該選択された種類であって前記期間に発生した全ての事象のうちの前記品質評価が最も低い期間最低評価事象における前記被測定信号のパラメータを示す第５画像を前記表示部に表示させる請求項４記載の表示処理装置。
【請求項６】
前記処理部は、前記表示処理において、前記第５画像を前記表示部に表示させている状態で前記期間最低評価事象の開始時および終了時のいずれか一方を指定する操作がされたときに、当該いずれか一方における前記期間最低評価事象の詳細な内容を示す第６画像を前記表示部に表示させる請求項５記載の表示処理装置。
【請求項７】
被測定信号において発生した当該被測定信号の品質評価に用いる事象に関する情報を表示部に表示させる表示処理を実行する処理部を備えた表示処理装置であって、
前記処理部は、前記表示処理において、当該表示処理の実行が指示された当日に発生した前記事象の発生回数および当日以前の日から当該当日までの期間に発生した前記事象の通算の発生回数を当該事象の種類別に示すと共に当該事象の発生が当該当日および当該期間である旨を示す第７画像を前記表示部に表示させる表示処理装置。
【請求項８】
前記処理部は、前記表示処理において、前記第７画像内における前記事象の中から１つの種類の事象が選択されたときに、当該選択された種類であって前記当日に発生した全ての事象のうちの前記品質評価が最も低い当日最低評価事象、および当該選択された種類であって前記期間に発生した全ての事象のうちの前記品質評価が最も低い期間最低評価事象の少なくとも一方の事象における前記被測定信号のパラメータを示す第８画像を前記表示部に表示させる請求項７記載の表示処理装置。
【請求項９】
前記処理部は、前記表示処理において、前記第８画像を前記表示部に表示させている状態で前記少なくとも一方の事象の開始時および終了時のいずれか一方を指定する操作がされたときに、当該いずれか一方における前記少なくとも一方の事象の詳細な内容を示す第９画像を前記表示部に表示させる請求項８記載の表示処理装置。
【請求項１０】
請求項１から９のいずれかに記載の表示処理装置と、前記表示部とを備え、
前記処理部は、当該表示部を表示対象として前記表示処理を実行する表示装置。
【請求項１１】
請求項１０記載の表示装置と、前記事象の発生を検出する検出部とを備え、
前記処理部は、前記検出部によって検出された前記事象に基づいて前記表示処理を実行する測定装置。
【請求項１２】
被測定信号において発生した当該被測定信号の品質評価に用いる事象に関する情報を表示部に表示させる表示処理を処理部に実行させる表示プログラムであって、
前記表示処理の実行が指示された当日に発生した前記事象の発生回数を当該事象の種類別に示すと共に当該事象の発生が当該当日である旨を示す第１画像を前記表示部に表示させる処理を前記表示処理において前記処理部に実行させる表示プログラム。
【請求項１３】
被測定信号において発生した当該被測定信号の品質評価に用いる事象に関する情報を表示部に表示させる表示処理を処理部に実行させる表示プログラムであって、
当該表示処理の実行が指示された当日以前の日から当該当日までの期間に発生した前記事象の通算の発生回数を当該事象の種類別に示すと共に当該事象の発生が当該期間である旨を示す第４画像を前記表示部に表示させる処理を前記表示処理において前記処理部に実行させる表示プログラム。
【請求項１４】
被測定信号において発生した当該被測定信号の品質評価に用いる事象に関する情報を表示部に表示させる表示処理を処理部に実行させる表示プログラムであって、
当該表示処理の実行が指示された当日に発生した前記事象の発生回数および当日以前の日から当該当日までの期間に発生した前記事象の通算の発生回数を当該事象の種類別に示すと共に当該事象の発生が当該当日および当該期間である旨を示す第７画像を前記表示部に表示させる処理を前記表示処理において前記処理部に実行させる表示プログラム。
【発明の詳細な説明】
【技術分野】
【０００１】
本発明は、被測定信号において発生した事象に関する情報を表示部に表示させる表示処理装置、表示装置、測定装置および表示プログラムに関するものである。
【背景技術】
【０００２】
この種の装置として、下記特許文献１に開示されたデータ収集装置が知られている。このデータ収集装置は、収集した被測定信号についての測定データに関する情報を表示する装置であって、カレンダー表示部とファイル統合表示部とで構成された表示画面を表示可能に構成されている。カレンダー表示部には、測定データのサンプリング期間が線分で表示され、アラーム（事象）が発生したときには、その発生時刻に対応する線分上の位置にアラームマークが表示される。また、ファイル統合表示部には、ファイル統合情報が表示される。この場合、アラームの発生時刻がファイル統合情報として表示される。このような表示がされることで、このデータ収集装置では、いつアラームが発生したかを知ることが可能となっている。
【先行技術文献】
【特許文献】
【０００３】
【特許文献１】特開２００８−２９８５７８号公報（第５−６頁、第１，３図）
【発明の概要】
【発明が解決しようとする課題】
【０００４】
ところが、上記した従来のデータ収集装置には、改善すべき以下の課題がある。具体的には、上記のデータ収集装置では、アラームが発生したことを示すアラームマークが、カレンダー表示部におけるサンプリング期間を示す線分上に表示され、アラームの発生時刻がファイル統合表示部に表示される。しかしながら、このデータ収集装置では、カレンダー表示部内におけるすべての日のアラームの発生を表示しているため、被測定信号を出力する出力装置の現時点の状態を把握してその状態に応じて出力装置のメンテナンスを行うような使用形態に対応し難くなっており、その改善が望まれている。
【０００５】
本発明は、かかる改善すべき課題に鑑みてなされたものであり、被測定信号において発生した事象の種類別の発生回数を確実かつ容易に把握し得る表示処理装置、表示装置、測定装置および表示プログラムを提供することを主目的とする。
【課題を解決するための手段】
【０００６】
上記目的を達成すべく請求項１記載の表示処理装置は、被測定信号において発生した当該被測定信号の品質評価に用いる事象に関する情報を表示部に表示させる表示処理を実行する処理部を備えた表示処理装置であって、前記処理部は、前記表示処理において、当該表示処理の実行が指示された当日に発生した前記事象の発生回数を当該事象の種類別に示すと共に当該事象の発生が当該当日である旨を示す第１画像を前記表示部に表示させる。
【０００７】
また、請求項２記載の表示処理装置は、請求項１記載の表示処理装置において、前記処理部は、前記表示処理において、前記第１画像内における前記事象の中から１つの種類の事象が選択されたときに、当該選択された種類であって前記当日に発生した全ての事象のうちの前記品質評価が最も低い当日最低評価事象における前記被測定信号のパラメータを示す第２画像を前記表示部に表示させる。
【０００８】
また、請求項３記載の表示処理装置は、請求項２記載の表示処理装置において、前記処理部は、前記表示処理において、前記第２画像を前記表示部に表示させている状態で前記当日最低評価事象の開始時および終了時のいずれか一方を指定する操作がされたときに、当該いずれか一方における前記当日最低評価事象の詳細な内容を示す第３画像を前記表示部に表示させる。
【０００９】
また、請求項４記載の表示処理装置は、被測定信号において発生した当該被測定信号の品質評価に用いる事象に関する情報を表示部に表示させる表示処理を実行する処理部を備えた表示処理装置であって、前記処理部は、前記表示処理において、当該表示処理の実行が指示された当日以前の日から当該当日までの期間に発生した前記事象の通算の発生回数を当該事象の種類別に示すと共に当該事象の発生が当該期間である旨を示す第４画像を前記表示部に表示させる。
【００１０】
また、請求項５記載の表示処理装置は、請求項４記載の表示処理装置において、前記処理部は、前記表示処理において、前記第４画像内における前記事象の中から１つの種類の事象が選択されたときに、当該選択された種類であって前記期間に発生した全ての事象のうちの前記品質評価が最も低い期間最低評価事象における前記被測定信号のパラメータを示す第５画像を前記表示部に表示させる。
【００１１】
また、請求項６記載の表示処理装置は、請求項５記載の表示処理装置において、前記処理部は、前記表示処理において、前記第５画像を前記表示部に表示させている状態で前記期間最低評価事象の開始時および終了時のいずれか一方を指定する操作がされたときに、当該いずれか一方における前記期間最低評価事象の詳細な内容を示す第６画像を前記表示部に表示させる。
【００１２】
また、請求項７記載の表示処理装置は、被測定信号において発生した当該被測定信号の品質評価に用いる事象に関する情報を表示部に表示させる表示処理を実行する処理部を備えた表示処理装置であって、前記処理部は、前記表示処理において、当該表示処理の実行が指示された当日に発生した前記事象の発生回数および当日以前の日から当該当日までの期間に発生した前記事象の通算の発生回数を当該事象の種類別に示すと共に当該事象の発生が当該当日および当該期間である旨を示す第７画像を前記表示部に表示させる。
【００１３】
また、請求項８記載の表示処理装置は、請求項７記載の表示処理装置において、前記処理部は、前記表示処理において、前記第７画像内における前記事象の中から１つの種類の事象が選択されたときに、当該選択された種類であって前記当日に発生した全ての事象のうちの前記品質評価が最も低い当日最低評価事象、および当該選択された種類であって前記期間に発生した全ての事象のうちの前記品質評価が最も低い期間最低評価事象の少なくとも一方の事象における前記被測定信号のパラメータを示す第８画像を前記表示部に表示させる。
【００１４】
また、請求項９記載の表示処理装置は、請求項８記載の表示処理装置において、前記処理部は、前記表示処理において、前記第８画像を前記表示部に表示させている状態で前記少なくとも一方の事象の開始時および終了時のいずれか一方を指定する操作がされたときに、当該いずれか一方における前記少なくとも一方の事象の詳細な内容を示す第９画像を前記表示部に表示させる。
【００１５】
また、請求項１０記載の表示装置は、請求項１から９のいずれかに記載の表示処理装置と、前記表示部とを備え、前記処理部は、当該表示部を表示対象として前記表示処理を実行する。
【００１６】
また、請求項１１記載の測定装置は、請求項１０記載の表示装置と、前記事象の発生を検出する検出部とを備え、前記処理部は、前記検出部によって検出された前記事象に基づいて前記表示処理を実行する。
【００１７】
また、請求項１２記載の表示プログラムは、被測定信号において発生した当該被測定信号の品質評価に用いる事象に関する情報を表示部に表示させる表示処理を処理部に実行させる表示プログラムであって、前記表示処理の実行が指示された当日に発生した前記事象の発生回数を当該事象の種類別に示すと共に当該事象の発生が当該当日である旨を示す第１画像を前記表示部に表示させる処理を前記表示処理において前記処理部に実行させる。
【００１８】
また、請求項１３記載の表示プログラムは、被測定信号において発生した当該被測定信号の品質評価に用いる事象に関する情報を表示部に表示させる表示処理を処理部に実行させる表示プログラムであって、当該表示処理の実行が指示された当日以前の日から当該当日までの期間に発生した前記事象の通算の発生回数を当該事象の種類別に示すと共に当該事象の発生が当該期間である旨を示す第４画像を前記表示部に表示させる処理を前記表示処理において前記処理部に実行させる。
【００１９】
また、請求項１４記載の表示プログラムは、被測定信号において発生した当該被測定信号の品質評価に用いる事象に関する情報を表示部に表示させる表示処理を処理部に実行させる表示プログラムであって、当該表示処理の実行が指示された当日に発生した前記事象の発生回数および当日以前の日から当該当日までの期間に発生した前記事象の通算の発生回数を当該事象の種類別に示すと共に当該事象の発生が当該当日および当該期間である旨を示す第７画像を前記表示部に表示させる処理を前記表示処理において前記処理部に実行させる。
【発明の効果】
【００２０】
請求項１記載の表示処理装置、請求項１０記載の表示装置、請求項１１記載の測定装置、および請求項１２記載の表示プログラムでは、表示処理の実行が指示された当日に被測定信号において発生した事象の発生回数を種類別に示すと共にその事象の発生が当日である旨を示す第１画像を表示させる。この場合、被測定信号において発生する事象の種類や発生回数は、被測定信号を出力する出力装置の状態に応じて異なる。このため、現時点の出力装置のメンテナンスをする際に役立つ当日の事象の種類別の発生回数とその事象の発生が当日である旨とを、表示された第１画像から確実かつ容易に把握することができる結果、現時点の出力装置の状態を確実かつ容易に把握することができる。したがって、この表示処理装置、表示装置、測定装置および表示プログラムによれば、現時点の事象の種類別の発生回数に基づいて出力装置の状態を把握し、その状態に応じて出力装置のメンテナンスを行うような使用形態に十分に対応することができる。
【００２１】
請求項２記載の表示処理装置、請求項１０記載の表示装置、および請求項１１記載の測定装置では、第１画像内における事象の中から１つの種類の事象が選択されたときに、選択された種類であって当日に発生した全ての事象のうちの品質評価が最も低い当日最低評価事象における被測定信号のパラメータを示す第２画像を表示させる。この場合、被測定信号に事象が複数回発生しているときには、当日に発生した事象のうちの品質評価が最も低い事象における被測定信号のパラメータを把握することで、被測定信号を出力する出力装置の詳細な状態を把握することができる。したがって、この表示処理装置、表示装置および測定装置によれば、第１画像内に表示されている各事象の中から１つの種類の事象を選択するだけで、選択した種類と同種類の事象のうちの、品質評価が最も低い事象における被測定信号のパラメータを示す第２画像を表示させることができるため、出力装置の詳細な状態を容易に把握することができる。
【００２２】
また、請求項３記載の表示処理装置、請求項１０記載の表示装置、および請求項１１記載の測定装置では、第２画像を表示させている状態で当日最低評価事象の開始時および終了時のいずれか一方を指定する操作がされたときに、いずれか一方における当日最低評価事象の詳細な内容を示す第３画像を表示させる。この場合、当日最低評価事象の開始時や終了時における当日最低評価事象の詳細な内容を把握することで、被測定信号を出力する出力装置のより詳細な状態を把握することができる。したがって、この表示処理装置、表示装置および測定装置によれば、当日最低評価事象の開始時や終了時を指定する操作を行うだけで、当日最低評価事象の開始時や終了時における当日最低評価事象の詳細な内容を示す第３画像を表示させることができるため、出力装置のより詳細な状態を容易に把握することができる。
【００２３】
また、請求項４記載の表示処理装置、請求項１０記載の表示装置、請求項１１記載の測定装置、および請求項１３記載の表示プログラムでは、当日以前の日から当日までの期間に発生した事象の通算発生回数を事象の種類別に示すと共にその事象の発生がその期間である旨を示す第４画像を表示させる。この場合、被測定信号において発生する事象の種類や発生回数は、被測定信号を出力する出力装置の状態に応じて異なる。このため、現時点の出力装置のメンテナンスをする際に役立つ当日以前の日から当日までの期間の事象の種類別の発生回数とその事象の発生がその期間である旨とを、表示された第４画像から確実かつ容易に把握することができる結果、現時点の出力装置の状態を確実かつ容易に把握することができる。したがって、この表示処理装置、表示装置、測定装置および表示プログラムによれば、現時点の事象の種類別の発生回数に基づいて出力装置の状態を把握し、その状態に応じて出力装置のメンテナンスを行うような使用形態に十分に対応することができる。
【００２４】
また、請求項５記載の表示処理装置、請求項１０記載の表示装置、および請求項１１記載の測定装置では、第４画像内における事象の中から１つの種類の事象が選択されたときに、選択された種類であって当日以前の日から当日までの期間に発生した全ての事象のうちの品質評価が最も低い期間最低評価事象における被測定信号のパラメータを示す第５画像を表示させる。この場合、被測定信号に事象が複数回発生しているときには、当日以前の日から当日までの期間に発生した事象のうちの品質評価が最も低い事象における被測定信号のパラメータを把握することで、被測定信号を出力する出力装置の詳細な状態を把握することができる。したがって、この表示処理装置、表示装置および測定装置によれば、第４画像内に表示されている各事象の中から１つの種類の事象を選択するだけで、選択した種類と同種類の事象のうちの、品質評価が最も低い事象における被測定信号のパラメータを示す第５画像を表示させることができるため、出力装置の詳細な状態を容易に把握することができる。
【００２５】
また、請求項６記載の表示処理装置、請求項１０記載の表示装置、および請求項１１記載の測定装置では、第５画像を表示させている状態で期間最低評価事象の開始時および終了時のいずれか一方を指定する操作がされたときに、いずれか一方における期間最低評価事象の詳細な内容を示す第６画像を表示させる。この場合、期間最低評価事象の開始時や終了時における期間最低評価事象の詳細な内容を把握することで、被測定信号を出力する出力装置のより詳細な状態を把握することができる。したがって、この表示処理装置、表示装置および測定装置によれば、期間最低評価事象の開始時や終了時を指定する操作を行うだけで、期間最低評価事象の開始時や終了時における期間最低評価事象の詳細な内容を示す第６画像を表示させることができるため、出力装置のより詳細な状態を容易に把握することができる。
【００２６】
また、請求項７記載の表示処理装置、請求項１０記載の表示装置、請求項１１記載の測定装置、および請求項１４記載の表示プログラムでは、表示処理の実行が指示された当日に発生した事象の発生回数および当日以前の日から当日までの期間に発生した事象の通算の発生回数を事象の種類別に示すと共にその事象の発生が当日および当該期間である旨を示す第７画像を表示部に表示させる。つまり、この表示処理装置、表示装置、測定装置および表示プログラムでは、当日に発生した事象の種類別の発生回数およびその事象の発生が当日である旨に加えて、当日以前の日から当日までの期間に発生した事象の種類別の通算発生回数およびその事象の発生がその期間である旨を表示させる。このため、この表示処理装置、表示装置、測定装置および表示プログラムによれば、出力装置の状態を多面的に把握することができる。
【００２７】
また、請求項８記載の表示処理装置、請求項１０記載の表示装置、および請求項１１記載の測定装置では、第７画像内における事象の中から１つの種類の事象が選択されたときに、選択された種類であって当日に発生した全ての事象のうちの品質評価が最も低い当日最低評価事象、および選択された種類であって期間に発生した全ての事象のうちの品質評価が最も低い期間最低評価事象の少なくとも一方の事象における被測定信号のパラメータを示す第８画像を表示部に表示させる。このため、この表示処理装置、表示装置および測定装置によれば、例えば、当日に発生した当日最低評価事象における被測定信号のパラメータに加えて、当日よりも長い当日以前の日から当日までの期間に発生した期間最低評価事象における被測定信号のパラメータを表示させることで、出力装置の詳細な状態をより多面的に把握することができる。
【００２８】
また、請求項９記載の表示処理装置、請求項１０記載の表示装置、および請求項１１記載の測定装置では、第８画像を表示部に表示させている状態で当日最低評価事象および期間最低評価事象の少なくとも一方の事象の開始時および終了時のいずれか一方を指定する操作がされたときに、いずれか一方における少なくとも一方の事象の詳細な内容を示す第９画像を表示部に表示させる。このため、この表示処理装置、表示装置および測定装置によれば、例えば、当日最低評価事象および期間最低評価事象の双方の開始時および終了時における詳細な内容を示す第９画像を表示させることで、出力装置のより詳細な状態をさらに多面的に把握することができる。
【図面の簡単な説明】
【００２９】
【図１】測定装置１の正面図である。
【図２】測定装置１の構成を示す構成図である。
【図３】被測定信号Ｓｍの波形図である。
【図４】ディップが発生している被測定信号Ｓｍの波形図である。
【図５】スウェルが発生している被測定信号Ｓｍの波形図である。
【図６】瞬停が発生している被測定信号Ｓｍの波形図である。
【図７】画像Ｇａの表示画面図である。
【図８】画像Ｇａおよび画像Ｇｂの表示画面図である。
【図９】画像Ｇｃの表示画面図である。
【図１０】画像Ｇｄの表示画面図である。
【発明を実施するための形態】
【００３０】
以下、表示処理装置、表示装置、測定装置および表示プログラムの実施の形態について、添付図面を参照して説明する。
【００３１】
最初に、図１に示す測定装置１の構成について説明する。測定装置１は、測定装置の一例であって、入力した被測定信号Ｓｍ（例えば、図３に示す交流電圧）の波形を示す波形データＤｗの記憶、被測定信号Ｓｍの被測定量（例えば、電圧値）の測定、被測定信号Ｓｍにおいて発生するイベント（事象）の検出、および各種の画像（例えば、図７〜図１０に示す画像Ｇａ〜Ｇｄ）の表示等の処理を実行可能に構成されている。
【００３２】
ここで、イベントとは、被測定信号Ｓｍの被測定量が定常状態とは異なる変化をする事象であって、被測定信号Ｓｍの品質評価に用いられる。具体的には、イベントには、ディップ、スウェルおよび瞬停等が存在する。この場合、ディップは、被測定信号Ｓｍが交流電圧のときに、図４に示すように、被測定量としての電圧値が短い時間ｔ１だけ降下する事象であり、スウェルは、図５に示すように、電圧値が短い時間ｔ１だけ上昇する事象であり、瞬停は、図６に示すように、被測定信号Ｓｍが短い時間ｔ１だけ停止して電圧値が一時的に０Ｖとなる事象である。
【００３３】
また、測定装置１は、図２に示すように、信号処理部１１、操作部１２、記憶部１３、表示部１４および処理部１５を備えて構成されている。なお、操作部１２、記憶部１３、および処理部１５によって表示処理装置が構成され、操作部１２、記憶部１３、表示部１４および処理部１５によって表示装置が構成される。
【００３４】
信号処理部１１は、処理部１５の制御に従い、図外のサンプリングクロック生成回路によって生成される予め決められたサンプリング周期のサンプリングクロックに同期して、図外の検出プローブを介して入力した被測定信号Ｓｍをサンプリングし、被測定信号Ｓｍの波形を示す波形データＤｗを出力する出力処理を実行する。この場合、この測定装置１では、複数（例えば、３つ）の被測定信号Ｓｍを入力して各被測定信号Ｓｍの波形データＤｗを出力可能な複数チャンネル構成となっている。
【００３５】
操作部１２は、図１に示すように、測定装置１の前面パネルに配置されたキー１２ａ〜１２ｄ等の各種のキーを備えて構成され、各キーが操作されたときに操作信号を出力する。また、操作部１２は、表示部１４の表面側に配設されたタッチパネル１２ｅを備えており、タッチパネル１２ｅに対する操作（タッチ操作）が行われたときにも操作信号を出力する。
【００３６】
記憶部１３は、処理部１５によって実行される各処理のプログラム（測定プログラムや表示プログラム）を記憶する。また、記憶部１３は、処理部１５の制御に従い、信号処理部１１から出力された波形データＤｗを記憶する。また、記憶部１３は、処理部１５によって生成されるイベントデータＤｅ（イベントの種類や発生時刻等を示すデータ）を記憶する。
【００３７】
表示部１４は、図１に示すように測定装置１の前面パネルに配置され、処理部１５の制御に従い、各種の画像を表示する。
【００３８】
処理部１５は、操作部１２から出力される操作信号、および記憶部１３に記憶されているプログラムに従って各種の処理を実行する。具体的には、処理部１５は、信号処理部１１から出力された波形データＤｗに基づいて被測定信号Ｓｍの被測定量（例えば、電圧値）を測定する測定処理を実行する。また、処理部１５は、検出部として機能し、被測定信号Ｓｍにおいて発生したイベントを検出して、イベントデータＤｅを生成する検出処理を実行する。また、処理部１５は、信号処理部１１から出力された波形データＤｗやイベントデータＤｅを記憶部１３に記憶させると共に、波形データＤｗに基づく被測定信号Ｓｍの波形を示す画像や、イベントデータＤｅに基づくイベントに関する情報を示す画像（図７〜図１０に示す画像Ｇａ〜Ｇｄ）を表示部１４に表示させる表示処理を実行する。
【００３９】
次に、測定装置１の使用方法について説明する。
【００４０】
この測定装置１は、例えば、図２に示す被測定信号Ｓｍ（一例として、交流電圧）の被測定量を任意の期間（例えば、数分から数日）測定し、測定結果から被測定信号Ｓｍにおけるイベントの発生を検出し、イベントに基づいて被測定信号Ｓｍの品質評価を行う際に用いられる。被測定量の測定を行う際には、信号処理部１１に接続された図外の検出プローブを被測定信号Ｓｍが印加されている電線にセットし、操作部１２を操作して測定開始を指示する。この際に、操作部１２が操作信号を出力し、処理部１５が操作信号に従って測定プログラムを記憶部１３から読み出し、読み出した測定プログラムに従って測定処理を実行する。
【００４１】
この測定処理では、処理部１５は、信号処理部１１を制御して、検出プローブを介して入力した被測定信号Ｓｍをサンプリングして被測定信号Ｓｍの波形を示す波形データＤｗを出力する出力処理を実行させる。次いで、処理部１５は、信号処理部１１から出力された波形データＤｗを記憶部１３に記憶させる。続いて、処理部１５は、波形データＤｗに基づいて被測定信号Ｓｍの被測定量（電圧値）を測定する。また、処理部１５は、検出処理を実行する。この検出処理では、処理部１５は、被測定量の変化から、ディップ、スウェルおよび瞬停等のイベント（事象）が発生したか否かを監視し、これらのイベントを検出したときには、そのイベントの種類、発生日時、およびそのイベントにおける被測定量の値を示す情報を含むイベントデータＤｅを生成して、記憶部１３に記憶させる。
【００４２】
続いて、例えば、測定装置１によって検出された被測定信号Ｓｍのイベントに関する情報を示す画像を表示させる際には、操作部１２（例えば、キー１２ａ）を操作して表示処理の実行を指示する。なお、この測定装置１では、処理部１５による測定処理が実行されている状態、および測定処理が終了（または、停止）している状態のいずれの状態においても、表示処理の実行を指示することが可能となっている。
【００４３】
キー１２ａが操作されたときには、処理部１５は、操作部１２から出力される操作信号に従って表示プログラムを記憶部１３から読み出し、次いで、読み出した表示プログラムに従って以下に説明する表示方法による表示処理を実行する。
【００４４】
この表示処理では、処理部１５は、記憶部１３からイベントデータＤｅを読み出す。続いて、処理部１５は、イベントデータＤｅに基づき、キー１２ａが操作された当日、つまり表示処理の実行が指示された当日（以下、「指示当日」ともいう）に被測定信号Ｓｍにおいて発生したイベントの発生回数（以下、「当日発生回数」ともいう）をイベントの種類別にカウントする。また、処理部１５は、イベントデータＤｅに基づき、イベントの検出（被測定量の測定）を開始した日（当日以前の日に相当する）から指示当日までの間（以下、「測定期間」ともいう）に被測定信号Ｓｍにおいて発生したイベントの発生回数（以下、「通算発生回数」ともいう）をイベントの種類別にカウントする。なお、この測定装置１では、操作部１２を操作して、当日以前の日として任意の日を指定することが可能となっており、当日以前の日を指定する操作を行わないときには（デフォルトでは）、当日以前の日としてイベントの検出を開始した日が自動的に指定される。
【００４５】
次いで、処理部１５は、図７に示すように、当日発生回数および通算発生回数を、イベントの種類別（この例では、スウェル、ディップおよび瞬停の３つの種類別）に一覧で示すと共に、イベントの発生が指示当日および測定期間である旨（同図における、「当日発生回数」および「通算発生回数」との文字情報）を示す画像Ｇａ（第１画像、第４画像および第７画像に相当する）を表示部１４に表示させる。このような画像Ｇａが表示されることで、イベントの種類別の当日発生回数および通算発生回数を画像Ｇａから確実かつ容易に把握することが可能となっている。
【００４６】
この場合、被測定信号Ｓｍにおいて発生するイベントの種類や発生回数は、被測定信号Ｓｍ（交流電圧）を出力する出力装置（電源）の状態に応じて異なる。このため、イベントの種類別の発生回数を画像Ｇａから確実かつ容易に把握することができるこの測定装置１を用いることで、出力装置の状態を確実かつ容易に把握することが可能となっている。したがって、この測定装置１は、イベントの種類別の発生回数に基づいて出力装置の状態を把握し、その状態に応じて出力装置のメンテナンスを行うような使用形態に十分に対応することが可能となっている。
【００４７】
また、この測定装置１では、発生したイベントにおける被測定信号Ｓｍのパラメータを示す画像として、図８に示す画像Ｇｂ（第２画像、第５画像および第８画像に相当する）を表示部１４に表示させることが可能となっている。この画像Ｇｂを表示させるには、同図に示すように、画像Ｇａが表示されている状態において、図１に示す操作部１２のキー１２ｂ，１２ｃ（矢印キー）を操作し、画像Ｇａ内に表示されている各イベントの中から１つの種類のイベントとして、例えばディップを選択する（図８では、選択されたイベントを示す文字（「ディップ」の文字）を反転表示している）。
【００４８】
この際に、処理部１５は、指示当日に発生した全てのディップ（選択された１つの種類のイベントと同種類のイベント）のうちの、品質評価が最も低いディップ（当日最低評価事象に相当し、以下「当日最低評価イベント」ともいう）をイベントデータＤｅに基づいて特定する。この場合、ディップは、被測定信号Ｓｍとしての交流電圧の電圧値（被測定信号Ｓｍのパラメータ）が降下する事象であり、電圧値が低い（小さい）ほど品質評価が低いため、処理部１５は、指示当日にディップが複数回発生しているときには、各ディップのうちの、電圧値が最も低いディップを当日最低評価イベントとして特定する。
【００４９】
続いて、処理部１５は、測定期間に発生した全てのディップ（選択された１つの種類のイベントと同種類のイベント）のうちの、品質評価が最も低いディップ（期間最低評価事象に相当し、以下「期間最低評価イベント」ともいう）をイベントデータＤｅに基づいて特定する。
【００５０】
次いで、処理部１５は、当日最低評価イベントが発生した日付および時刻、当日最低評価イベントにおける電圧値（被測定信号Ｓｍのパラメータ）の最低値、並びに当日最低評価イベントが発生した期間をイベントデータＤｅに基づいて特定する。また、処理部１５は、期間最低評価イベントが発生した日付および時刻、期間最低評価イベントにおける電圧値の最低値、並びに期間最低評価イベントが発生した期間をイベントデータＤｅに基づいて特定する。続いて、処理部１５は、図８に示すように、当日最低評価イベントおよび期間最低評価イベントについて特定したこれらの情報を示す画像Ｇｂを表示部１４に表示させる。
【００５１】
この場合、被測定信号Ｓｍにイベントが複数回発生しているときには、品質評価が最も低いイベントにおける被測定信号Ｓｍの電圧値（パラメータ）を把握することで、被測定信号Ｓｍを出力する出力装置の詳細な状態を把握することができる。この測定装置１では、上記したように、画像Ｇａ内に表示されている各イベントの中から１つの種類のイベントを選択するだけで、選択した種類と同種類のイベントのうちの、品質評価が最も低いイベントにおける被測定信号Ｓｍの電圧値を示す画像Ｇｂを表示させることができる。このため、この測定装置１では、出力装置の詳細な状態を容易に把握することが可能となっている。
【００５２】
また、この測定装置１では、発生したイベントの詳細な内容を示す画像として、図９に示す画像Ｇｃ（第３画像および第９画像の一例に相当する）、および図１０に示す画像Ｇｄ（第３画像および第９画像の他の一例に相当する）を表示部１４に表示させることが可能となっている。
【００５３】
この場合、図９に示す画像Ｇｃを表示させるには、図８に示すように、画像Ｇｂが表示されている状態において、表示部１４の表面側に配設されているタッチパネル１２ｅにおける画像Ｇｂ内の「ＩＮ」の文字の表示部位に対してタッチ操作（当日最低評価イベントの開始時を指定する操作）を行う。この際に、処理部１５は、当日最低評価イベントの開始時における当日最低評価イベントの詳細な内容をイベントデータＤｅに基づいて特定する。
【００５４】
次いで、処理部１５は、図８に示す画像Ｇａ，Ｇｂに代えて、図９に示すように、当日最低評価イベントの開始時における詳細な内容を示す画像Ｇｃを表示部１４に表示させる。この場合、画像Ｇｃには、同図に示すように、当日最低評価イベントの開始・終了、および他のイベントの開始・終了の日時を時系列で並べて表示すると共に、当日最低評価イベントの「開始」に対応する順番を示す数字（同図では、「２」の数字）を反転表示した画像（同図における左上部分の画像）が含まれている。また、画像Ｇｃには、当日最低評価イベントの開始時から予め決められた時間（例えば、２００ｍｓ程度）分の被測定信号Ｓｍの波形を示す画像（同図における左下部分の画像）が含まれている。また、画像Ｇｃには、当日最低評価イベントの種類、被測定信号Ｓｍを入力しているチャンネル、当日最低評価イベントの開始の日付・時刻、ディップと判定する電圧値のしきい値、および当日最低評価イベントにおける被測定信号Ｓｍの電圧値の最小値を示す画像（同図における右側の画像）が含まれている。
【００５５】
また、図１０に示す画像Ｇｄを表示させるには、図１に示すキー１２ａ（画像Ｇａの表示を指示するキー）を操作する。この際に、処理部１５は、図９に示す画像Ｇｃに代えて、図８に示す画像Ｇａ，Ｇｂを再表示させる。続いて、同図に示すように、タッチパネル１２ｅにおける画像Ｇｂ内の「ＯＵＴ」の文字の表示部位に対してタッチ操作（当日最低評価イベントの終了時を指定する操作）を行う。この際に、処理部１５は、当日最低評価イベントの終了時における当日最低評価イベントの詳細な内容をイベントデータＤｅに基づいて特定する。
【００５６】
次いで、処理部１５は、図８に示す画像Ｇａ，Ｇｂに代えて、図１０に示すように、当日最低評価イベントの終了時における詳細な内容を示す画像Ｇｃを表示部１４に表示させる。この場合、画像Ｇｄには、同図に示すように、当日最低評価イベントの開始・終了、および他のイベントの開始・終了の日時を時系列で並べて表示すると共に、当日最低評価イベントの「終了」に対応する順番を示す数字（同図では、「３」の数字）を反転表示した画像（同図における左上部分の画像）が含まれている。また、画像Ｇｄには、当日最低評価イベントの終了時以前の予め決められた時間（例えば、２００ｍｓ程度）分の被測定信号Ｓｍの波形を示す画像（同図における左下部分の画像）が含まれている。また、画像Ｇｄには、当日最低評価イベントの種類、被測定信号Ｓｍを入力しているチャンネル、当日最低評価イベントの開始の日付・時刻、ディップと判定する電圧値のしきい値、および当日最低評価イベントにおける被測定信号Ｓｍの電圧値の最小値を示す画像（同図における右側の画像）が含まれている。
【００５７】
この場合、当日最低評価イベントの開始時や終了時における当日最低評価イベントの詳細な内容を把握することで、被測定信号Ｓｍを出力する出力装置のより詳細な状態を把握することができる。この測定装置１では、上記したように、当日最低評価イベントの開始時や終了時を指定する操作を行うだけで、当日最低評価イベントの開始時や終了時における当日最低評価イベントの詳細な内容を示す画像Ｇｃ，Ｇｄを表示させることができる。このため、この測定装置１では、出力装置のより詳細な状態を容易に把握することが可能となっている。
【００５８】
また、この測定装置１では、期間最低評価イベントの開始時における期間最低評価イベントの詳細な内容を示す画像（第６画像の一例および第９画像の他の一例であって、以下「期間最低評価イベントの開始時の詳細画像」ともいう）、および期間最低評価イベントの終了時における期間最低評価イベントの詳細な内容を示す画像（第６画像の他の一例および第９画像のさらに他の一例であって、以下「期間最低評価イベントの終了時の詳細画像」）を表示部１４に表示させることが可能となっている。なお、期間最低評価イベントの開始時の詳細画像は、上記した画像Ｇｃと同様の構成で、期間最低評価イベントの終了時の詳細画像は、上記した画像Ｇｄと同様の構成であるため、両画像（第６画像および第９画像）の図示および詳細な説明を省略する。
【００５９】
この場合、期間最低評価イベントの終了時の詳細画像を表示させるには、画像Ｇｂが表示されている状態（図８に示す状態）において、操作部１２における予め決められたキー（例えば、図１に示すキー１２ｄ）を操作した後に、図８に示すように、タッチパネル１２ｅにおける画像Ｇｂ内の「ＩＮ」の文字の表示部位に対してタッチ操作（期間最低評価イベントの開始時を指定する操作）を行う。この際に、処理部１５は、期間最低評価イベントの開始時における期間最低評価イベントの詳細な内容をイベントデータＤｅに基づいて特定し、続いて、特定した詳細な内容を示す画像を表示部１４に表示させる。
【００６０】
また、期間最低評価イベントの終了時の詳細画像を表示させるには、図１に示すキー１２ａを操作して、図８に示す画像Ｇａ，Ｇｂを表示させ、次いで、図１に示すキー１２ｄを操作した後に、タッチパネル１２ｅにおける画像Ｇｂ内の「ＯＵＴ」の文字の表示部位に対してタッチ操作（期間最低評価イベントの終了時を指定する操作）を行う。この際に、処理部１５は、期間最低評価イベントの終了時における当日最低評価イベントの詳細な内容をイベントデータＤｅに基づいて特定し、続いて、特定した詳細な内容を示す画像を表示部１４に表示させる。
【００６１】
この場合、この測定装置１では、上記したように、期間最低評価イベントの開始時や終了時を指定する操作を行うだけで、期間最低評価イベントの開始時の詳細画像や、期間最低評価イベントの終了時の詳細画像を表示させることができる。このため、この測定装置１では、出力装置のさらに詳細な状態を容易に把握することが可能となっている。
【００６２】
このように、この表示処理装置、表示装置、測定装置１および表示プログラムでは、表示処理の実行が指示された指示当日に被測定信号Ｓｍにおいて発生したイベントの発生回数を種類別に示す画像Ｇａを表示させる。この場合、被測定信号Ｓｍにおいて発生するイベントの種類や発生回数は、被測定信号Ｓｍを出力する出力装置の状態に応じて異なる。このため、この表示処理装置、表示装置、測定装置１および表示プログラムによれば、イベントの種類別の発生回数を画像Ｇａから確実かつ容易に把握することができる結果、出力装置の状態を確実かつ容易に把握することができる。したがって、この表示処理装置、表示装置、測定装置１および表示プログラムによれば、イベントの種類別の発生回数に基づいて出力装置の状態を把握し、その状態に応じて出力装置のメンテナンスを行うような使用形態に十分に対応することができる。
【００６３】
また、この表示処理装置、表示装置、測定装置１および表示プログラムでは、画像Ｇａ（第１画像）内におけるイベントの中から１つの種類のイベントが選択されたときに、選択された種類であって指示当日に発生した全てのイベントのうちの品質評価が最も低い当日最低評価イベントにおける被測定信号Ｓｍの電圧値（パラメータ）を示す画像Ｇｂ（第２画像）を表示させる。この場合、被測定信号Ｓｍにイベントが複数回発生しているときには、指示当日に発生したイベントのうちの品質評価が最も低いイベントにおける被測定信号Ｓｍの電圧値を把握することで、被測定信号Ｓｍを出力する出力装置の詳細な状態を把握することができる。したがって、この表示処理装置、表示装置、測定装置１および表示プログラムによれば、画像Ｇａ内に表示されている各イベントの中から１つの種類のイベントを選択するだけで、選択した種類と同種類のイベントのうちの、品質評価が最も低いイベントにおける被測定信号Ｓｍの電圧値を示す画像Ｇｂを表示させることができるため、出力装置の詳細な状態を容易に把握することができる。
【００６４】
また、この表示処理装置、表示装置、測定装置１および表示プログラムでは、画像Ｇｂ（第２画像）を表示させている状態で当日最低評価イベントの開始時および終了時のいずれか一方を指定する操作がされたときに、いずれか一方における当日最低評価イベントの詳細な内容を示す第３画像を表示させる。具体的には、画像Ｇｂを表示させている状態で当日最低評価イベントの開始時を指定する操作がされたときに、開始時における当日最低評価イベントの詳細な内容を示す画像Ｇｃ（第３画像の一例）を表示させ、画像Ｇｂを表示させている状態で当日最低評価イベントの終了時を指定する操作がされたときに、終了時における当日最低評価イベントの詳細な内容を示す画像Ｇｄ（第３画像の他の一例）を表示させる。この場合、当日最低評価イベントの開始時や終了時における当日最低評価イベントの詳細な内容を把握することで、被測定信号Ｓｍを出力する出力装置のより詳細な状態を把握することができる。したがって、この表示処理装置、表示装置、測定装置１および表示プログラムによれば、当日最低評価イベントの開始時や終了時を指定する操作を行うだけで、当日最低評価イベントの開始時や終了時における当日最低評価イベントの詳細な内容を示す画像Ｇｃ，Ｇｄを表示させることができるため、出力装置のより詳細な状態を容易に把握することができる。
【００６５】
また、この表示処理装置、表示装置、測定装置１および表示プログラムでは、測定期間（当日以前の日から当日までの期間）に発生したイベントの通算発生回数をイベントの種類別に示す画像Ｇａ（第５画像）を表示させる。つまり、この表示処理装置、表示装置、測定装置１および表示プログラムでは、指示当日に発生したイベントの発生回数に加えて、測定期間に発生したイベントの通算発生回数を種類別に表示させる。このため、この表示処理装置、表示装置、測定装置１および表示プログラムによれば、出力装置の状態を多面的に把握することができる。
【００６６】
また、この表示処理装置、表示装置、測定装置１および表示プログラムでは、画像Ｇａ（第４画像）内におけるイベントの中から１つの種類のイベントが選択されたときに、選択された種類であって測定期間に発生した全てのイベントのうちの品質評価が最も低い期間最低評価イベントにおける被測定信号Ｓｍの電圧値（パラメータ）を示す画像Ｇｂ（第５画像）を表示させる。このため、この表示処理装置、表示装置、測定装置１および表示プログラムによれば、例えば、指示当日に発生した当日最低評価イベントにおける被測定信号Ｓｍの電圧値に加えて、指示当日よりも長い測定期間に発生した期間最低評価イベントにおける被測定信号Ｓｍの電圧値を表示させることで、出力装置の詳細な状態をより多面的に把握することができる。
【００６７】
また、この表示処理装置、表示装置、測定装置１および表示プログラムでは、画像Ｇｂ（第５画像）を表示させている状態で期間最低評価イベントの開始時および終了時のいずれか一方を指定する操作がされたときに、いずれか一方における期間最低評価イベントの詳細な内容を示す第６画像を表示させる。具体的には、画像Ｇｂを表示させている状態で期間最低評価イベントの開始時を指定する操作がされたときに、開始時における期間最低評価イベントの詳細な内容を示す画像（第６画像の一例）を表示させ、画像Ｇｂを表示させている状態で期間最低評価イベントの終了時を指定する操作がされたときに、終了時における期間最低評価イベントの詳細な内容を示す画像（第６画像の他の一例）を表示させる。このため、この表示処理装置、表示装置、測定装置１および表示プログラムによれば、例えば、画像Ｇｃや画像Ｇｄに加えて、第６画像を表示させることで、出力装置のより詳細な状態をさらに多面的に把握することができる。
【００６８】
なお、表示処理装置、表示装置、測定装置および表示プログラムは、上記の構成および方法に限定されない。例えば、複数種類のイベントについての当日発生回数および通算発生回数をイベントの種類別に一覧で表示する例について上記したが、１つの種類のイベントを指定してそのイベントについての当日発生回数および通算発生回数を表示する構成および方法を採用することもできる。この場合、１つの種類のイベントは、操作部１２を用いて指定してもよいし、予め決められていてもよい。
【００６９】
また、イベントの種類別の当日発生回数を通算発生回数と共に画像Ｇａ内に表示する例について上記したが、イベントの種類別の当日発生回数だけを画像Ｇａ内に表示する構成および方法を採用することもできる。また、イベントの種類別の通算発生回数だけを画像Ｇａ内に表示する構成および方法を採用することもできる。また、当日最低評価イベントにおける被測定信号Ｓｍのパラメータを示す第２画像と、期間最低評価イベントにおける被測定信号Ｓｍのパラメータを示す第５画像とを画像Ｇｂ内に表示する（つまり、第８画像を表示する）例について上記したが、第２画像だけを画像Ｇｂ内に表示する構成および方法を採用することもできる。
【００７０】
さらに、当日最低評価イベントの開始時における詳細な内容を示す画像Ｇｃ（第３画像の一例）、および当日最低評価イベントの終了時における詳細な内容を示す画像Ｇｄ（第３画像の他の一例）の双方を表示する例について上記したが、画像Ｇｃ，Ｇｄのいずれか一方のみを表示する構成および方法を採用することもできる。同様にして、期間最低評価イベントの開始時における詳細な内容を示す画像（第６画像の一例）、および期間最低評価イベントの終了時における詳細な内容を示す画像（第６画像の他の一例）の双方を表示する例について上記したが、両画像のいずれか一方のみを表示する構成および方法を採用することもできる。
【００７１】
また、１つの種類のイベントとしてディップを選択する例について上記したが、１つの種類のイベントとしてスウェルを選択することもできる。この場合、イベントがスウェルのときには、スウェルにおける被測定信号Ｓｍの電圧値が高い（大きい）ほど被測定信号Ｓｍの品質評価が低くなる。このため、１つの種類のイベントとしてスウェルを選択したときには、電圧値が最も高いスウェルが当日最低評価イベントや期間最低評価イベントとして特定される。また、１つの種類のイベントとして瞬停を選択することもできる。この場合、イベントが瞬停のときには、瞬停における被測定信号Ｓｍが停止する停止時間が長いほど被測定信号Ｓｍの品質評価が低くなる。このため、１つの種類のイベントとして瞬停を選択したときには、停止時間が最も長い瞬停が当日最低評価イベントや期間最低評価イベントとして特定される。
【００７２】
また、イベント（事象）の一例としてのディップ、スウェルおよび瞬停を検出する際に適用する例について上記したが、これら以外の各種のイベント（例えば、トランジェントやフリッカ）を検出する際に適用することもできる。
【００７３】
また、被測定信号Ｓｍとしての交流電圧における被測定量としての電圧値を測定する測定装置１に適用した例について上記したが、被測定信号Ｓｍや被測定量は、これに限定されず、直流電圧の電圧値、交流電流および直流電流の電流値、並びに電力値等の各種の被測定信号Ｓｍの被測定量を測定する測定装置に適用することができる。
【００７４】
また、信号処理部１１を備えた測定装置１に適用した例について上記したが、信号処理部１１を備えずに、他の機器を用いて取得した波形データＤｗに基づいてイベントの発生を検出し、イベントに関する情報を表示部１４に表示させる表示処理装置または表示装置に適用することもできる。また、表示部１４を備えずに、外部の表示部に表示用のデータを出力して、外部の表示部にイベントに関する情報を表示させる表示処理装置に適用することもできる。また、パーソナルコンピューターに表示プログラムを読み込ませて表示処理装置または表示装置として機能させることもできる。
【００７５】
また、イベントの発生が指示当日である旨を文字情報（上記の例では、「当日発生回数」との文字情報）で表示する例について上記したが、他の表示方法を採用することもできる。一例として、当日発生回数を予め決められた色（例えば、赤）の枠で囲んで表示し、その色の枠で囲まれた数字が当日発生回数である（つまり、イベントの発生が指示当日である）ことを測定装置１の取扱説明書等に記載することで、イベントの発生が指示当日であることを使用者に認識させる構成を採用することができる。同様に、イベントの発生が測定期間である旨を文字情報で表示する構成に代えて、通算発生回数を予め決められた色の枠で囲んで表示する構成を採用することができる。また、予め決められた色の枠に代えて、表示色を予め決められた色（例えば、赤）で表示することもできる。
【００７６】
また、イベントの検出（被測定量の測定）を開始した日を「当日以前の日」とする例について上記したが、「当日以前の日」は、これに限定されない。例えば、指示当日（表示処理の実行が指示された当日）が属する週の初日、指示当日が属する月の初日、および指示当日が属する年の初日を「当日以前の日」とすることもできる。また、指示当日から任意に指定した日数だけ前の日を「当日以前の日」とすることもできる。
【符号の説明】
【００７７】
１  測定装置
１２  操作部
１２ａ〜１２ｄ  キー
１２ｅ  タッチパネル
１４  表示部
１５  処理部
Ｇａ〜Ｇｄ  画像
Ｓｍ  被測定信号
【図１】
2019039742.tif 000003
【図２】
2019039742.tif 000004
【図３】
2019039742.tif 000005
【図４】
2019039742.tif 000006
【図５】
2019039742.tif 000007
【図６】
2019039742.tif 000008
【図７】
2019039742.tif 000009
【図８】
2019039742.tif 000010
【図９】
2019039742.tif 000011
【図１０】
2019039742.tif 000012